(57)【要約】【課題】転写部材の接離機構を設けずとも、ブリード現象による画像ノイズが発生しない画像形成装置を提供する。【解決手段】トナー画像を形成する作像部と、作像部が形成したトナー画像を担持して回動可能な像担持体と、像担持体に圧接され、トナー画像を記録紙に転写する転写部材と、形成する画像のデータを受信して作像部、像担持体および転写部材の動作を制御する制御手段と、像担持体の回動位置を認識する位置認識手段とを有する画像形成装置において、画像の特性が、転写部材から漏出した物質の転写部材への付着による画像ノイズが認識されやすいものである場合は、像担持体に、直前の停止時に転写部材と圧接していなかった部分のみにトナー画像を担持させる圧接位置回避印字動作を行う。【選択図】図２
2009300487.tif 000002
【特許請求の範囲】
【請求項１】
トナー画像を形成する作像部と、
前記作像部が形成したトナー画像を担持して回動可能な像担持体と、
前記像担持体に圧接され、前記トナー画像を記録紙に転写する転写部材と、
形成する画像のデータを受信して前記作像部、前記像担持体および前記転写部材の動作を制御する制御手段と、
前記像担持体の回動位置を認識する位置認識手段とを有し、
前記制御手段は、受信した画像のデータに基づいて、前記画像の特性を判別し、
前記画像の特性が、前記転写部材から漏出した物質の前記転写部材への付着による画像ノイズが認識されやすいものであるとみなされる所定の条件を満たす場合は、前記像担持体に、直前の停止時に前記転写部材と圧接していなかった部分のみにトナー画像を担持させる圧接位置回避印字動作を行い、
前記画像の特性が、前記転写部材から漏出した物質の前記転写部材への付着による画像ノイズが認識されやすいものでない場合は、前記像担持体に、直前の停止時において前記転写部材と圧接していた部分であるか否かにかかわらずトナー画像を担持させる通常印字動作を行うことを特徴とする画像形成装置。
【請求項２】
前記制御手段は、前記画像の前記印字率が所定の基準値以上である場合には、前記画像の特性が、前記転写部材から漏出した物質の前記転写部材への付着による画像ノイズが認識されやすいものであると判断することを特徴とする請求項１に記載の画像形成装置。
【請求項３】
前記制御手段は、前記画像の前記画質が所定の画質である場合には、前記画像の特性が、前記転写部材から漏出した物質の前記転写部材への付着による画像ノイズが認識されやすいものであると判断することを特徴とする請求項１または２に記載の画像形成装置。
【請求項４】
前記像担持体が停止していた時の温度に応じて、前記圧接位置回避印字動作を行うか否かを決定する基準を変更することを特徴とする請求項１から３のいずれかに記載の画像形成装置。
【発明の詳細な説明】
【技術分野】
【０００１】
本発明は、画像形成装置に関する。
【背景技術】
【０００２】
感光体や転写ベルトのような像担持体上にトナー画像を形成し、転写ローラのような転写部材の静電気力によって記録紙に転写する画像形成装置において、転写部材の表層は、僅かに変形して像担持体との圧接（ニップ）を確保するための弾性と、トナーを吸引するために帯電できる導電性とを備える発泡樹脂で形成される。そのような樹脂は、製造時に化学反応しなかった低分子材料や、加硫剤、軟化剤および可塑剤などの添加剤を含んでいる。転写部材を像担持体に圧接したまま長時間停止していると、転写部材からそれらの低分子材料や添加剤がオイル状に染み出すブリード現象が発生する。染み出した低分子材料や添加剤は、像担持体に付着して表面特性を悪化させ、形成した画像にノイズを生じさせる。このため、従来の画像形成装置では、停止時に転写部材を像担持体から離間させるための接離機構が設けられている。
【０００３】
モノクロの画像形成装置では、カーボンを分散したブリードの少ない電子導電性樹脂で形成した転写部材を用いて、転写部材の接離機構を省略したものもあるが、電子導電性樹脂は、導電特性が不均一であるという欠点を有する。カラーの画像形成装置では、正確な階調表現力が求められるので、導電特性に優れるイオン導電性樹脂を使用せざるを得ず、転写部材の接離機構を省略すると、ブリード現象の発生が避けられない。
【０００４】
このようなブリード現象の影響を避けるために、特許文献１には、画像形成を開始する前に、付着物を除去するために像担持体を回転させる発明が記載されている。また、特許文献２には、停止中にも、少しずつ像担持体を回転させて、表面特性のムラを軽減する発明が記載されている。また、特許文献３には、像担持体と転写部材および清掃部材の停止時の位置関係を一定にし、像担持体の停止時に転写部材や清掃部材が当接する部分を画像形成に使用しない発明が記載されている。また、特許文献４には、転写部材のクリーニングを停止することで、ブリードを低減する発明が記載されている。
【０００５】
特許文献３の発明では、像担持体の一部を画像形成に全く利用できないので、画像形成の間隔が大きくなり、画像形成の速度が低下するという問題がある。
【特許文献１】特開２００１−３４１１５号公報
【特許文献２】特開２０００−３２１９３２号公報
【特許文献３】特開２００３−９８９３４号公報
【特許文献４】特開平５−２７６１５号公報
【発明の開示】
【発明が解決しようとする課題】
【０００６】
前記問題点に鑑みて、本発明は、転写部材の接離機構を設けずとも、ブリード現象による画像ノイズが発生しない、高速な画像形成装置を提供することを課題とする。
【課題を解決するための手段】
【０００７】
前記課題を解決するために、本発明による画像形成装置は、トナー画像を形成する作像部と、前記作像部が形成したトナー画像を担持して回動可能な像担持体と、前記像担持体に圧接され、前記トナー画像を記録紙に転写する転写部材と、形成する画像のデータを受信して前記作像部、前記像担持体および前記転写部材の動作を制御する制御手段と、前記像担持体の回動位置を認識する位置認識手段とを有し、前記制御手段は、受信した画像のデータに基づいて、前記画像の特性を判別し、前記画像の特性が、前記転写部材から漏出した物質の前記転写部材への付着による画像ノイズが認識されやすいものであるとみなされる所定の条件を満たす場合は、前記像担持体に、直前の停止時に前記転写部材と圧接していなかった部分のみにトナー画像を担持させる圧接位置回避印字動作を行い、前記画像の特性が、前記転写部材から漏出した物質の前記転写部材への付着による画像ノイズが認識されやすいものでない場合は、前記像担持体に、直前の停止時において前記転写部材と圧接していた部分であるか否かにかかわらずトナー画像を担持させる通常印字動作を行うものとする。
【０００８】
この構成によれば、印字する画像の特性を判別し、像担持体にブリード現象によって転写部材から染み出した添加剤等の付着物による画像のノイズが認知されやすい画像である場合には、像担持体に、停止時に転写部材が圧接していた部分、つまり、ブリード現象による付着物が付着している可能性のある部分以外の部分にトナー画像を担持させるので、ブリード現象が発生しても認知可能なノイズを発生させない。また、ブリード現象による付着物の上にトナー画像を担持させても画像ノイズが目立たない画質の場合には、像担持体全体を使用可能する通常の印字動作（画像形成）を行うことで、高速な画像形成が可能になる。
【０００９】
また、上述の画像形成装置において、前記制御手段は、前記画像の前記印字率が所定の基準値以上である場合には、前記画像の特性が、前記転写部材から漏出した物質の前記転写部材への付着による画像ノイズが認識されやすいものであると判断してもよく、前記画像の前記画質が所定の画質である場合には、前記画像の特性が、前記転写部材から漏出した物質の前記転写部材への付着による画像ノイズが認識されやすいものであると判断してもよい。
【００１０】
ブリード現象による画像ノイズは、印字率が高い程認識されやすく、また、高画質の画像では些細なノイズもユーザの満足度を大きく低下させ得るので、これらの特性に基づいて圧接位置回避印字動作を行うか否かを決定するとよい。
【００１１】
また、上述の画像形成装置において、前記像担持体が停止していた時の温度に応じて、前記圧接位置回避印字動作を行うか否かを決定する基準を変更してもよい。
【００１２】
低温時にはブリード現象が発生しにくいので、低温時には圧接位置回避印字動作を行う基準を引き上げて通常の印字動作の比率を高めても問題がない。
【発明の効果】
【００１３】
上記構成によれば、形成する画像の特性に応じて、像担持体に、直前の停止時に転写部材と圧接していなかった部分のみにトナー画像を担持させる圧接位置回避印字動作を行うので、ブリード現象による画像ノイズが目立ち易いときだけ、ブリード現象による付着物存在する可能性のある場所を避けて像担体にトナー画像を担持させるので、速度低下を最低限度に抑えながら、ユーザに認識される画像ノイズを発生させない。
【発明を実施するための最良の形態】
【００１４】
これより、本発明の実施形態について、図面を参照しながら説明する。
図１に、本発明による画像形成装置の一つの実施形態であるタンデム型カラーディジタル複写機１の概略構成を示す。複写機１は、原稿画像を読み取るイメージリーダ部２と、イメージリーダ部２が読み取った画像データ、または、ネットワーク接続された不図示のコンピュータなどから受信した画像データを基に、記録紙Ｓ上に画像をプリント（画像形成）するプリンタ部３とからなる。
【００１５】
イメージリーダ部２は、ＣＣＤセンサによって、原稿画像を、赤（Ｒ），緑（Ｇ），青（Ｂ）の三色に分解して読み取り、電気信号に変換する公知のスキャナ４と、ユーザインターフェイスであり、表示装置および操作釦を有するパネル部５とを備える。プリンタ部３は、複写機１の動作を制御する制御装置（制御手段）６を備える。
【００１６】
スキャナ４は、原稿を読み取ってＲ，Ｇ，Ｂの画像データを生成し、制御装置６に入力する。制御装置６は、画像信号を処理し、シアン（Ｃ），マゼンタ（Ｍ），イエロー（Ｙ），ブラック（Ｋ）の４色の画像データに変換する。また、制御装置６には、スキャナ部２の他、不図示のコンピュータなどからネットワークを介して画像信号が入力される。
【００１７】
制御装置６は、Ｙ，Ｍ，Ｃ，Ｋの画像データを、それぞれ、１走査ラインごとに読み出して、作像部７Ｙ，７Ｍ，７Ｃ，７Ｋで各色のトナー画像を形成させ、１次転写ローラ８Ｙ，８Ｍ，８Ｃ，８Ｋで中間転写ベルト（像担持体）９に１次転写する。中間転写ベルト９に転写されたトナー画像は、給紙部１０から供給された記録紙Ｓに、２次転写ローラ（転写部材）１１によって２次転写され、定着器１２で加圧・加熱されて記録紙Ｓに定着される。
【００１８】
作像部７Ｙ，７Ｍ，７Ｃ，７Ｋは、それぞれ、感光体１３Ｙ，１３Ｍ，１３Ｃ，１３Ｋと、感光体１３Ｙ，１３Ｍ，１３Ｃ，１３Ｋを帯電させる帯電器１４Ｙ，１４Ｍ，１４Ｃ，１４Ｋと、レーザダイオードが発生するレーザ光線によって感光体１３Ｙ，１３Ｍ，１３Ｃ，１３Ｋを露光して、選択的に除電することで静電潜像を形成する露光器１５Ｙ，１５Ｍ，１５Ｃ，１５Ｋと、感光体１３Ｙ，１３Ｍ，１３Ｃ，１３Ｋに形成した静電潜像にトナーを供給する現像器１６Ｙ，１６Ｍ，１６Ｃ，１６Ｋと、１次転写後に感光体１３Ｙ，１３Ｍ，１３Ｃ，１３Ｋに残留するトナーを取り除くクリーナ１７Ｙ，１７Ｍ，１７Ｃ，１７Ｋとを有する。
【００１９】
中間転写ベルト９は、駆動ローラ１８と従動ローラ１９との間に掛け渡され、テンションばね２０によって張力が与えられ、矢印Ｘ方向に回動させられる。また、駆動ローラ１８と２次転写ローラ１１との間には、トナー画像を転写する静電気力を与えるためのバイアス電圧が印加される。カラーディジタル複写機１は、中間転写ベルト９の回転位置を認識する認識手段を備える。この認識手段は、例えば、中間転写ベルト９のホームポジションを検出するセンサと、ホームポジションからの回転距離を駆動ローラ１８の回転角度や回転時間によって算出する手段とで構成できる。
【００２０】
記録紙Ｓは、給紙部１０から給紙ローラ２１によって１枚ずつ取り出され、シート検出センサ２２で先端位置を検出されて、中間転写ベルト９の回動にタイミングを合わせて、レジストローラ２３によって、中間転写ベルト９と２次転写ローラ１１との間に送り込まれる。
【００２１】
プリンタ部３は、さらに、２次転写ローラ１１によって記録紙Ｓに転写できずに中間転写ベルト９に残留するトナーを掻き落とすベルトクリーナ２４と、プリンタ部３の内部の空気の温度および湿度を測定する機内温度センサ２５とを有する。
【００２２】
１次転写ローラ８Ｙ，８Ｍ，８Ｃ，８Ｋには、バイアス電圧が印加され、感光体１３Ｙ，１３Ｍ，１３Ｃ，１３Ｋに画像を形成しているトナーを吸引することで、トナー画像を中間転写ベルト９に転写させる。また、２次転写ローラ１１も、同様に、バイアス電圧が印加されて、静電気力によって中間転写ベルト９上のトナー画像を吸引して記録紙Ｓに転写させる。
【００２３】
中間転写ベルト９は、表面抵抗率が１０６〜１０１２Ω／□であることが好ましく、例えば、ポリカーボネイト、ポリイミド、ポリエチレンサルファイド、ポリアミドイミド、ポリビニリデンフルオロライド、エトラフルオロエチレン−エチレン共重合体等の樹脂材料に、カーボンなどの導電性フィラーを分散させたり、イオン性の導電材料を含有させたりしたものを用い、その厚みは５０〜２００μｍ程度が好ましい。さらにその表面に、無機酸化物等のコーティング層を設けてもよい。
【００２４】
２次転写ローラ１１は、表面抵抗率が１０６〜１０１２Ω／□であることが好ましく、例えば、金属製の芯金に、ＥＰＤＭ、シリコン、ＮＢＲ、ウレタン等に、カーボンなどの導電性フィラーを分散させたり、イオン性の導電材料を含有させたりした樹脂材料からなる中抵抗弾性層を形成したものを用いる。
【００２５】
図２に、カラーディジタル複写機１の画像形成処理の流れを示す。制御装置６は、ステップＳ１で、イメージリーダ部２或いは外部のコンピュータ等からＪＯＢ（画像形成データ）が入力されたなら、後述するように前回の画像形成の最後に開始した機内温度センサ２５によるプリンタ部３の内部温度の測定をステップＳ２で停止し、ステップＳ３において、プリンタ部３が停止していた間の、つまり、中間転写ベルト９が停止していた間の平均温度Ｔ（℃）を算出する。
【００２６】
続いて、ステップＳ４において、制御装置６は、入力されたＪＯＢの中の次に印字すべき画像データの印字率（画像全体の平均濃度）Ｐ（％）を算出する。そして、ステップＳ５において、制御装置６は、中間転写ベルト９が停止していた間の平均温度Ｔを基に閾値（基準値）Ｐｔを算出して、印字率Ｐと閾値とを比較する。閾値Ｐｔは、一例として、Ｐｔ＝−２．２５７３＊Ｔ＋７２．４０３、によって算出される。
【００２７】
制御装置６は、印字率Ｐが閾値Ｐｔ以上であれば、ステップＳ６において、後述する圧接位置回避印字動作を実行させ、ステップＳ７でそのＪＯＢにおける出力枚数（印字した枚数）が入力されたＪＯＢに含まれる出力枚数（印字すべき枚数）に達したかどうかを確認し、印字枚数が入力枚数に満たない場合はステップＳ４に戻って次の画像の印字率を算出する。
【００２８】
圧接位置回避印字動作では、制御装置６は、作像部７Ｙ，７Ｍ，７Ｃ，７Ｋによってトナー画像を形成させ、１次転写ローラ８Ｙ，８Ｍ，８Ｃ，８Ｋによって、中間転写ベルト９の、直前の停止時に２次転写ローラ１１と圧接していなかった部分に、作像部７Ｙ，７Ｍ，７Ｃ，７Ｋが形成したトナー画像を重ねて転写することで、カラーのトナー画像を、中間転写ベルト９の２次転写ローラ１１が圧接していた部分を避けて担持させる。中間転写ベルト９に担持されたトナー画像は、２次転写ローラ１１によって、記録紙Ｓにさらに転写される。
【００２９】
ステップＳ５で印字率Ｐが閾値Ｐｔ未満であれば、制御装置６は、ステップＳ８に進んで、後述する通常印字動作を実行させ、ステップＳ９でそのＪＯＢにおける出力枚数（印字枚数）が入力されたＪＯＢに含まれる印字枚数に達したかどうかを確認し、印字枚数が入力枚数に満たない場合はステップＳ４に戻って次の画像の印字率を算出する。
【００３０】
通常印字動作では、中間転写ベルト９の直前の停止時に２次転写ローラ１１と圧接していた部分を含む全体を使用可として、中間転写ベルト９にトナー画像を担持させ、２次転写ローラ１１によって記録紙Ｓに２次転写させる。
【００３１】
このように、制御装置６は、１つのＪＰＢの中で、１枚の印字（画像形成）を行う度に、次の画像の印字率Ｐを算出し、閾値Ｐｔと比較して、圧接位置回避印字動作を行うか、通常印字動作を行うかを決定する。つまり、制御装置６は、印字率Ｐが閾値Ｐｔ以上である場合は、当該画像が、ブリード現象による中間転写ベルト９への付着物が認識されやすいものであると判断し、中間転写ベルト９に２次転写ローラ１１からの漏出物が付着している可能性のある場所を避けてトナー画像を担持させる圧接位置回避印字動作を行うが、印字率Ｐが閾値Ｐｔ未満である場合は、当該画像が、ブリード現象による中間転写ベルト９への付着物が認識されやすいものでないと判断し、中間転写ベルト９の場所を選ばずにトナー画像を担持させる通常印字動作を行うのである。
【００３２】
ステップＳ７またはステップＳ９で、ＪＯＢに含まれる全ての画像を印字ことが確認されたなら、ステップＳ１０において、中間転写ベルト９および２次転写ローラ１１を含むプリンタ部３の動作を停止し、ステップＳ１１において、機内温度センサ２５による温度測定を開始し、次のＪＯＢを待つ待機状態になる。
【００３３】
図３は、中間転写ベルト９が停止していた間の平均温度Ｔと、原稿印字率Ｐの閾値Ｐｔの関係を示す。このように、本実施形態では、機内温度Ｔが高い程、低い印字率Ｐでも圧接位置回避印字動作を行う。これは、停止時の温度Ｔが高い程、ブリード現象によって多くの添加物が２次転写ローラ１１から染み出し、中間転写ベルト９に付着していると考えられ、印字率Ｐが低くても、付着物による画像の乱れが認識されやすくなると予想されるからである。
【００３４】
図４に、本発明の第２実施形態の画像形成装置の制御の流れを示す。本実施形態も第１実施形態と同じ構成のカラーディジタル複写機１（図１）において実現される。
【００３５】
本実施形態では、制御装置６は、ステップＳ２１で、ＪＯＢの入力があると、先ず、ステップＳ２２において、そのＪＯＢが、イメージリーダ部２が読み取った画像データを出力するコピー動作であるか、ネットワーク接続された不図示のコンピュータなどから受信した画像データを出力するプリンタ動作であるかを判別する。
【００３６】
ＪＯＢがコピー動作であれば、ステップＳ２３に進み、さらに、ユーザがパネル部５から入力したそのＪＯＢの原稿の画質を確認する。原稿の画質は、パネル部５のタッチパネルの操作により、図５に例示するような画面上でユーザが指定できるようになっている。本実施形態の原稿画質は、「文字」、「文字／写真」、「写真」、「地図」、「薄文字原稿」、「コピー原稿」の６種類が設定されている。
【００３７】
本実施形態では、図６に示すように、原稿画質が、「文字／写真」、「写真」、「地図」のいずれかである場合には圧接位置回避印字動作を行うが（図４のステップＳ２４，Ｓ２５）、原稿画質が、「文字」、「薄文字原稿」、「コピー原稿」のいずれかである場合には通常印字動作を行う（図４のステップＳ２６，Ｓ２７）。
【００３８】
また、ステップＳ２２で、ＪＯＢがプリンタ動作であれば、制御装置６は、ステップＳ２８に進んで、ＪＯＢを送信するコンピュータに組み込まれるプリンタドライバソフトウェアによって設定される画質情報の一種、ＪＯＢデータ中に識別符号が含まれるそのカラー設定を確認する。本実施形態では、図７に示すように、カラー設定は、「文書」、「写真」、「ＤＴＰ」、「Ｗｅｂ」、「ＣＡＤ」の５種類が用意されており、カラーディジタル複写機１は、カラー設定が「写真」、「ＤＴＰ」、「Ｗｅｂ」、「ＣＡＤ」のいずれかであれば圧接位置回避印字動作を行い（図４のステップＳ２９，Ｓ３０）、カラー設定が「文書」である場合にのみ通常印字動作を行う（図４のステップＳ３１，Ｓ３２）。
【００３９】
本実施形態では、コピー動作の場合は原稿画質に応じて、プリンタ動作であればカラー設定に応じて、圧接位置回避印字動作および通常印字動作のいずれかを選択して、１つのＪＯＢに含まれる全ての画像を印字し、ＪＯＢ中の全ての画像を印字し終えたなら、ステップＳ３３でプリンタ部３の動作を停止して、次のＪＯＢを待つ。
【００４０】
さらに、図８に、本発明の第３実施形態の画像形成装置の制御の流れを示す。本実施形態も第１実施形態と同じ構成のカラーディジタル複写機１（図１）において実現される。
【００４１】
本実施形態では、第１実施形態と同様に、ステップＳ４１でＪＯＢの入力を確認すると、ステップＳ４２で機内温度の測定を停止し、ステップＳ４３で中間転写ベルト９の停止中の平均温度Ｔを算出する。本実施形態でも、ステップＳ４４で画像の印字率Ｐを算出するが、本実施形態の印字率Ｐは、ＪＯＢ中の全ての画像の印字率の平均値である。
【００４２】
そして、ステップＳ４５で、印字率Ｐと閾値Ｐｔとを比較するが、この閾値は、第１実施形態（図３参照）と同様である、印字率Ｐが閾値Ｐｔ以上であれば、全ての画像を圧接位置回避印字動作によって印字する（ステップＳ４６，Ｓ４７）。ステップＳ４５で印字率Ｐが閾値Ｐｔ未満であれば、ステップＳ４８に進んで、ＪＯＢがコピー動作であるかプリンタ動作であるかを確認する。
【００４３】
ステップＳ４８でＪＯＢがコピー動作であれば、ステップＳ４９で原稿画質を確認し、原稿画質が「文字／写真」、「写真」、「地図」のいずれかである場合には圧接位置回避印字動作によって全ての画像を印字し（ステップＳ５０，Ｓ５１）、原稿画質が文字」、「薄文字原稿」、「コピー原稿」」のいずれかである場合には通常印字動作によって全ての画像を印字する（ステップＳ５２，Ｓ５３）。
【００４４】
ステップＳ４８で、ＪＯＢがプリンタ動作であれば、ステップＳ５４でカラー設定を確認し、カラー設定が、「写真」、「ＤＴＰ」、「Ｗｅｂ」、「ＣＡＤ」のいずれかであれば圧接位置回避印字動作によって全ての画像を印字し（ステップＳ５５，Ｓ５６）、カラー設定が「文書」である場合には通常印字動作によって全ての画像を印字する（ステップＳ５７，Ｓ５８）。
【００４５】
ＪＯＢ中のすべの画像を印字したなら、ステップＳ５９でプリンタ部３の動作を停止し、ステップＳ６０で、機内温度センサ２５による温度測定を開始し、次のＪＯＢの待機状態に移行する。
【００４６】
本実施形態では、ＪＯＢ毎に印字率Ｐを算出して閾値Ｐｔと比較しているが、画像毎に印字率を算出して閾値Ｐｔと比較するようにしてもよい。
【００４７】
また、本発明において、画像の「画質」とは、第２および第３実施形態の「原稿画質」および「カラー設定」に限られず、例えば、「解像度（ｄｐｉ）」のような設定情報に基づいて判断してもよい。
【図面の簡単な説明】
【００４８】
【図１】本発明の第１実施形態の画像形成装置の概略構成図。
【図２】本発明の第１実施形態の画像形成装置の制御の流れ図。
【図３】図１の圧接位置回避枚数の演算式とその時間による変化を示すグラフ。
【図４】本発明の第２実施形態の画像形成装置の制御の流れ図。
【図５】図４の画像形成装置の表示画面を例示する図。
【図６】図４の画像形成装置の原稿画質による判断を示すテーブル。
【図７】図４の画像形成装置のカラー設定による判断を示すテーブル。
【図８】本発明の第３実施形態の画像形成装置の制御の流れ図。
【符号の説明】
【００４９】
１…カラーディジタル複写機（画像形成装置）
６…制御装置（制御手段）
７Ｙ，７Ｍ，７Ｃ，７Ｋ…作像部
８Ｙ，８Ｍ，８Ｃ，８Ｋ…１次転写ローラ
９…中間転写ベルト（像担持体）
１１…２次転写ローラ（転写部材）
１２…定着器
１３Ｙ，１３Ｍ，１３Ｃ，１３Ｋ…感光体
２４…ベルトクリーナ
２５…機内温度センサ
【図１】
2009300487.tif 000003
【図２】
2009300487.tif 000004
【図３】
2009300487.tif 000005
【図４】
2009300487.tif 000006
【図５】
2009300487.tif 000007
【図６】
2009300487.tif 000008
【図７】
2009300487.tif 000009
【図８】
2009300487.tif 000010